(57)【要約】【課題】  ドライバーが、表示部を注視する時間を低減させ、運転中でも車載機器を安全に操作することが可能な車両用表示装置を提供する。【解決手段】  車載機器の情報を表示する表示部１０１と、表示部１０１に表示される情報を操作する操作部１０２と、表示部１０１の表示状態に応じて操作可能となる機能の情報を記憶した記憶部１０４と、操作部１０２にて操作された情報と記憶部１０４の情報に応じて表示内容を制御する制御部１０５と、を備えた車両用表示装置１において、制御部１０５が操作部１０２におけるドライバーの操作を検出して、検出された前記操作に記憶部１０４内に記憶された操作機能を振り分けるものである。【選択図】  図２
2012201250.tif 000002
【特許請求の範囲】
【請求項１】
車載機器の情報を表示する表示部と、前記表示部に表示される情報を操作する操作部と、前記表示部の表示状態に応じて操作可能となる機能の情報を記憶した記憶部と、前記操作部にて操作された情報と前記記憶部の情報に応じて表示内容を制御する制御部と、を備えた車両用表示装置において、
前記制御部が前記操作部におけるドライバーの操作を検出して、検出された前記操作に前記記憶部内に記憶された操作機能を振り分けることを特徴とする車両用表示装置。
【請求項２】
前記制御部は前記操作部でのドライバーの操作がされたときに、前記記憶部から操作可能な機能を呼び出し、少なくとも１つの操作に振り分けて操作ガイドを前記表示部に表示することを特徴とする請求項１に記載の車両用表示装置。
【請求項３】
前記操作部はステアリングに配置されていることを特徴とする請求項１に記載の車両用表示装置。
【請求項４】
前記操作部は、タッチセンサを備えていること特徴とする請求項１に記載の車両用表示装置。
【請求項５】
前記操作部は、トラックボールを備えていること特徴とする請求項１に記載の車両用表示装置。
【請求項６】
前記操作部は、ジョイスティックを備えていること特徴とする請求項１に記載の車両用表示装置。
【発明の詳細な説明】
【技術分野】
【０００１】
本発明は、車両用表示装置に関し、特に車両に搭載する車載機器を操作する車両用表示装置に関するものである。
【背景技術】
【０００２】
従来の車両用表示装置は、車載機器に関する情報を表示する表示部と、前記表示部に表示された情報を操作する操作部と、前記操作部の操作に応じて前記表示部の制御及び車両搭載機器の制御を行う制御部を含む車両用表示装置であって、前記表示部と操作部は、離れた位置に配置され、前記操作部は、前記表示部上の二次元位置を指示可能なポインティング手段と、前記ポインティング手段で指示した二次元位置に表示されている情報の選択を行う選択入力手段と、を含み、前記制御部は、前記操作部で操作可能な機器毎の複数の情報を前記表示部に表示する情報表示手段と、前記操作部の選択に基づく情報内容を前記表示部に表示する選択情報表示手段と、を備えていた（例えば、特許文献１参照）。
【先行技術文献】
【特許文献】
【０００３】
【特許文献１】特開２００１−１１３９８１号公報（段落番号０００８）
【発明の概要】
【発明が解決しようとする課題】
【０００４】
しかしながら、ドライバーが、前記表示部上の任意の部分を前記ポインティング手段によって選択するためには、前記ポインティング手段で指示する前記表示部上のポインタの位置と、前記表示部上の前記二次元位置（目標地点）との位置関係を常に把握している必要があり、正確な操作を行うためには、前記表示部を注視する時間が長くなり、運転中の操作によって危険性が増える虞があるといった問題点があった。
【０００５】
そこで、本発明は、前記問題点を鑑みて発明されたものであり、前記ドライバーが、前記表示部を注視する時間を低減させ、運転中でも車載機器を安全に操作することが可能な車両用表示装置を提供することを目的とするものである。
【課題を解決するための手段】
【０００６】
本発明は、車載機器の情報を表示する表示部と、前記表示部に表示される情報を操作する操作部と、前記表示部の表示状態に応じて操作可能となる機能の情報を記憶した記憶部と、前記操作部にて操作された情報と前記記憶部の情報に応じて表示内容を制御する制御部と、を備えた車両用表示装置において、前記制御部が前記操作部におけるドライバーの操作を検出して、検出された前記操作に前記記憶部内に記憶された操作機能を振り分けるものである。
【０００７】
本発明は、前記制御部は前記操作部でのドライバーの操作がされたときに、前記記憶部から操作可能な機能を呼び出し、少なくとも１つの操作に振り分けて操作ガイドを前記表示部に表示するものである。
【０００８】
本発明は、前記操作部はステアリングに配置されているものである。
【０００９】
本発明は、前記操作部は、タッチセンサを備えているものである。
【００１０】
本発明は、前記操作部は、トラックボールを備えているものである。
【００１１】
本発明は、前記操作部は、ジョイスティックを備えているものである。
【発明の効果】
【００１２】
本発明は、所期の目的を達成することができ、ドライバーが、表示部を注視する時間を低減させ、運転中でも車載機器を安全に操作することができる。
【００１３】
また、ドライバーの運転姿勢を崩すことなく車載機器を操作することができる。
【図面の簡単な説明】
【００１４】
【図１】本発明の実施形態を示す概要説明図。
【図２】同上実施形態の構成を示すブロック図。
【図３】操作部の構成を示す概略説明図。
【図４】画面に表示されるコンテンツの順番を示す概念図。
【図５】オーディオコンテンツ初期（ホーム）画面表示例を示す図。
【図６】オーディオコンテンツ用操作ガイドの表示例１を示す図。
【図７】操作部（タッチセンサ部）上のドライバーの指の右方向への動きを示す図。
【図８】オーディオコンテンツ用操作ガイドの表示例２を示す図。
【図９】ナビゲーションコンテンツ初期（ホーム）画面表示例を示す図。
【図１０】ナビゲーションコンテンツ用操作ガイドの表示例１を示す図。
【図１１】ナビゲーションコンテンツ用操作ガイドの表示例２を示す図。
【図１２】操作部（タッチセンサ部）上のドライバーの指の右回転の動きを示す図。
【図１３】ナビゲーションコンテンツ用操作ガイドの表示例３を示す図。
【図１４】エアコンコンテンツ初期（ホーム）画面表示例を示す図。
【図１５】エアコンコンテンツ用操作ガイドの表示例１を示す図。
【図１６】エアコンコンテンツ用操作ガイドの表示例２を示す図。
【図１７】エアコンコンテンツ用操作ガイドの表示例３を示す図。
【図１８】エアコンコンテンツ用操作ガイドの表示例４を示す図。
【図１９】エアコンコンテンツ用操作ガイドの表示例５を示す図。
【図２０】オーディオコンテンツメニュー項目画面の表示例１を示す図。
【図２１】オーディオコンテンツメニュー項目画面の表示例２を示す図。
【発明を実施するための形態】
【００１５】
以下に、本発明の実施形態を添付図面に基づいて説明する。
【００１６】
本発明の第１実施形態の車両用表示装置１は、車載機器の情報を表示する表示部１０１と、車両のステアリング１０３上に配置された操作部１０２と、を備えている。ドライバーは、操作部１０２を用いて表示部１０１に表示される情報を操作する。表示部１０１には、車両２０５、オーディオ２０６、ナビゲーション２０７及びエアコン２０８などの車載機器の各コンテンツ（操作項目）の情報が表示される。
【００１７】
図２のブロック図で示すように、車両用表示装置１は、表示部１０１と、操作部１０２と、各表示状態に応じて操作可能な機能の情報を記憶した記憶部であるメモリ１０４と、操作部１０２にて操作された情報とメモリ１０４の情報に応じて表示部１０１の表示内容を制御する制御部１０５と、により構成されている。
【００１８】
操作部１０２は、スイッチ郡１０２ａとタッチセンサ部１０２ｂにより構成されている。
【００１９】
制御部１０５は、表示部１０１の表示コンテンツの情報源となる車両２０５と、表示部１０１の表示コンテンツの情報源となる車載機器であるオーディオ２０６、ナビゲーション２０７、エアコン２０とに接続されており、制御部１０５は、操作部１０２におけるドライバーの操作を検出して、検出された操作にメモリ１０４内に記憶された操作機能を振り分ける。つまり、車両２０５や車載機器２０６〜２０８から表示コンテンツである稼働状態や設定値などの情報（データ）を取得し、表示部１０１にて表示するための表示画像を作成し、表示部１０１へ出力している。
【００２０】
図３で示すように、操作部１０２のスイッチ群１０２ａは、押しボタンスイッチ１０２ａ１から１０２ａ６によって構成されている。
【００２１】
Ｄｉｓｐスイッチ１０２ａ１が、押下されると表示部１０１に表示されているコンテンツが、図４のように、車両コンテンツ５０１、ナビゲーションコンテンツ７０１、オーディオコンテンツ６０１及びエアコンコンテンツ８０１と、切り替えられる。
【００２２】
初期画面（ホーム）スイッチ１０２ａ２が、押下されると表示されている各コンテンツの初期（ホーム）画面に移行する。
【００２３】
Ｍｅｎｕスイッチ１０２ａ３が、押下されると表示されている各コンテンツに対してのメニュー項目画面に移行する。
【００２４】
Ｃａｎｃｅｌスイッチ１０２ａ４が、押下されると、原則ドライバーの直前の操作がキャンセルされるが、曲のスキップなどのキャンセルされない操作も例外的に存在する。
【００２５】
＋スイッチ１０２ａ５および−スイッチ１０２ａ６が、押下されると表示されているコンテンツに関わらず、オーディオ２０６の音量が変化する。
【００２６】
操作部１０２のタッチセンサ部１０２ｂは、ドライバーの指Ｆなどが触れている位置を検出可能な静電容量式のタッチセンサによって構成されている。
【００２７】
図５は、表示部１０１に表示されたオーディオコンテンツ６０１の初期（ホーム）画面６１０であり、このオーディオコンテンツ初期（ホーム）画面６１０では、コンテンツ名６１１、再生中のオーディオソース名６１２、曲の情報６１３、およびオーディオ稼働状態表示部６１４が表示される。ドライバーの操作が無い場合は、この画面６１０が維持される。
【００２８】
オーディオコンテンツ初期（ホーム）画面６１０が表示されている状態で、ドライバーがタッチセンサ部１０２ｂに触れる操作を行うことにより、オーディオ操作ガイド表示６１５が、初期（ホーム）画面６１０の上に重なって表示される（図６）。
つまり、制御部１０５は、操作部１０２でのドライバーの操作がされたときに、メモリ１０４から操作可能な機能を呼び出し、少なくとも１つの操作に振り分けて操作ガイド６１５を表示部１０１に表示する。
【００２９】
オーディオ操作ガイド表示６１５は、十字形状をしている。このガイド表示６１５の上側端部には、オーディオファイルの一時停止を示すアイコン６１５ａが表示されている。ガイド表示６１５の右側端部には、オーディオファイルの順スキップを示すアイコン６１５ｂが表示されている。ガイド表示６１５の左側端部には、オーディオファイルの逆スキップを示すアイコン６１５ｃが表示されている。ガイド表示６１５の下側端部には、オーディオファイルの再生方法の選択を示すアイコン６１５ｄが表示されている。
【００３０】
そして、ドライバーの指Ｆの動きの４つの軌跡方向に対して、下から上方向の軌跡には再生中のオーディオファイルの一時停止の機能が、左から右方向の軌跡にはオーディオファイルの順スキップの機能が、右から左方向の軌跡にはオーディオファイルの逆スキップの機能が、上から下方向の軌跡にはオーディオファイルの再生方法（ランダム再生、リピート再生）の選択の機能が、それぞれに割り振られている。
【００３１】
例えば、図７で示すように、ドライバーが、タッチセンサ部１０２ｂに触れてから指Ｆを右方向にスライドさせた場合、右方向の機能であるオーディオファイルの順スキップ機能が選択され、そして、図８で示すように、順スキップ機能を選択したことを示すために、表示部１０１では、オーディオ操作ガイド表示６１５のオーディオファイルの順スキップのアイコン６１５ｂが、反転表示される。
【００３２】
機能が選択された（アイコン６１５ｂが反転表示された）状態で、ドライバーが指Ｆをタッチセンサ部１０２ｂから放すと、割り振られた機能が実行され、オーディオファイルが順スキップされる。機能が実行された後は、再び、図５で示すコンテンツ初期（ホーム）画面６１０が表示される。
【００３３】
なお、タッチセンサ部１０２ｂに指Ｆを触れた状態から指Ｆを動かさずにそのまま指Ｆを放した場合、もしくは触れた状態から指Ｆを動かした後に指Ｆを放さないまま始めに触れた位置に指Ｆが戻った場合、何も機能が実行されないままオーディオコンテンツ初期（ホーム）画面（図５）に戻る。
【００３４】
図９は、表示部１０１に表示されたナビゲーションコンテンツ７０１の初期（ホーム）画面７１０であり、このナビゲーションコンテンツ初期（ホーム）画面７１０では、コンテンツ名７１１、地図表示７１２、自車両マーク７１３、縮尺表示変更部７１４が表示される。ドライバーの操作が無い場合は、この画面７１０が維持される。
【００３５】
ナビゲーションコンテンツ初期（ホーム）画面７１０が表示されている状態で、ドライバーがタッチセンサ部１０２ｂに触れる操作を行うことにより、３つのナビゲーション操作ガイド表示７１５、７１６、７１７が、初期（ホーム）画面７１０の上に重なって表示される（図１０）。
【００３６】
ナビゲーション操作ガイド表示７１５は、十字形状をしている。このガイド表示７１５ａの上下左右側端部には、各々移動操作方向を示すアイコン７１５ａ〜７１５ｄが表示されている。
【００３７】
ナビゲーション操作ガイド表示７１６は、右回りの矢印７１６ａとプラス（＋）の拡大鏡のアイコン７１６ｂを備えている。ナビゲーション操作ガイド表示７１７は、左回りの矢印７１７ａとマイナス（−）の拡大鏡のアイコン７１６ｂを備えている。
【００３８】
そして、ドライバーの指Ｆの６つの軌跡方向に対して、下から上方向の軌跡には地図の上側への移動操作の機能が、左から右方向の軌跡には地図の右側への移動操作の機能が、右から左方向の軌跡には地図の左側への移動操作の機能が、上から下方向の軌跡には地図の下側への移動操作の機能が、さらに、右回り（時計回り）の円弧の軌跡には地図の拡大機能が、左回り（反時計回り）の円弧の軌跡には地図の縮尺機能が、それぞれに割り振られていることを示している。
【００３９】
例えば、図７で示すように、ドライバーが、タッチセンサ部１０２ｂに触れてから指Ｆを右方向にスライドさせた場合、ナビゲーション操作ガイドの下に表示されている地図表示７１２の右側への移動操作の機能が選択され、そして、図１１で示すように、ナビゲーション操作ガイドの下に表示されている地図表示７１２が、右方向に移動するとともに、地図表示７１２の右側への移動操作の機能を選択したことを示すために、表示部１０１では、ナビゲーション操作ガイド７１５の右側端部のアイコン７１５ｂが、反転表示される。機能が選択された後は、図９で示すコンテンツ初期（ホーム）画面７１０が表示される。
【００４０】
また、図１２で示すように、ドライバーが、タッチセンサ部１０２ｂに触れてから指Ｆを右回り（時計回り）に動かした場合、ナビゲーション操作ガイド７１５〜７１７の下に表示されている地図表示７１２が拡大され、右回りへの入力がされたことを示すために、図１３で示すように、右回りの矢印とプラス（＋）の拡大鏡のナビゲーション操作ガイド７１６が、反転表示される。機能が実行された後は、図９で示すコンテンツ初期（ホーム）画面７１０が表示される。
【００４１】
なお、タッチセンサ部１０２ｂに指Ｆを触れた状態から指Ｆを動かさずにそのまま指Ｆを放した場合、もしくは触れた状態から指Ｆを動かした後に指Ｆを放さないまま始めに触れた位置に指Ｆが戻った場合、何も機能が実行されないままナビゲーションコンテンツ初期（ホーム）画面７１０の表示（図９）に戻る。
【００４２】
図１４は、エアコンコンテンツの初期（ホーム）画面８１０であり、このエアコンコンテンツ初期（ホーム）画面８１０では、コンテンツ名８１１、ファン速度表示部８１２、外気導入／内気循環表示部８１３、温度表示部８１４、送風口表示部８１５、エアコンＯＮ／ＯＦＦ表示部８１６が表示される。ドライバーの操作が無い場合は、この画面８１０が維持される。
【００４３】
エアコンコンテンツ初期（ホーム）画面８１０が表示されている状態で、ドライバーがタッチセンサ部１０２ｂに触れる操作を行うことにより、３つのエアコン操作ガイド表示８１７、８１８、８１９が、コンテンツ初期（ホーム）画面８１０の上に重なって表示される（図１５）。
【００４４】
エアコン操作ガイド表示８１７は、十字形状をしている。このガイド表示８１７の上側端部には、外気導入／内気循環の切り換え機能を示すアイコン８１７ａが表示されている。ガイド表示８１７の右側端部には、送風口の切り換え機能を示すアイコン８１７ｂが表示されている。ガイド表示８１７の左側端部には、ファン速度の切り換え機能を示すアイコン８１７ｃが表示されている。ガイド表示８１７の下側端部には、エアコンＯＮ／ＯＦＦ切り換え機能を示すアイコン８１７ｄが表示されている。
【００４５】
エアコン操作ガイド表示８１８は、右回りの矢印８１８ａとエアコン設定温度上昇機能を示すアイコン８１８ｂを備えている。エアコン操作ガイド表示８１９は、左回りの矢印８１９ａとエアコン設定温度上昇機能を示すアイコン８１９ｂを備えている。
【００４６】
そして、ドライバーの指Ｆの６つの軌跡方向に対して、下から上方向の軌跡には外気導入／内気循環の切り換え機能が、左から右方向の軌跡にはエアコンの送風口の切り換え機能が、右から左方向の軌跡にはファン速度の切り換え機能が、上から下方向の軌跡にはエアコンのＯＮ／ＯＦＦ切り換え機能が、右回り（時計回り）の指Ｆの円軌跡にはエアコン設定温度の上昇機能が、左回り（反時計回り）の指Ｆの円軌跡にはエアコン設定温度の減少機能が、それぞれに割り振られていることを示している。
【００４７】
例えば、図７で示すように、ドライバーが、タッチセンサ部１０２ｂに触れてから指Ｆを右方向にスライドさせた場合、操作ガイド表示８１７の右側端部に割り振られた機能であるエアコンの送風口の切り換え機能が選択される。すると、図１６で示すように、操作ガイド８１７上に、送風口を切り換えるための送風口切り換え操作ガイド表示８２０が、重なって表示される。この操作ガイド表示８２０は、送風口状態を表すアイコンが、５つ縦に並んだ状態で表示されている。上から上半身への送風を示すアイコン８２０ａ、足下への送風を示すアイコン８２０ｂ、上半身と足下への送風を示すアイコン８２０ｃ、窓ガラスと足下への送風を示すアイコン８２０ｄ、窓ガラスへの送風を示すアイコン８２０ｅを備えている。図１６で示すように、送風口の切り換え機能が選択された状態では、機能を選択した時点のアイコン８２０ｃが、黒く表示され、選択した時点の機能を示している。
【００４８】
この図１６で示す状態で、ドライバーがタッチセンサ部１０２ｂに触れたまま指Ｆを上方向にスライドさせると、現在選択されている送風口状態アイコン８２０ｃから別の送風口状態アイコン８２０ｂが選択されていることを示すために、図１７で示すように、選択されている送風口状態を示すアイコン８２０ｂが、反転表示される。
【００４９】
そして、アイコン８２０ｂが選択された状態でドライバーが指Ｆをタッチセンサ部１０２ｂから放すと、選択されたアイコン８２０ｂで示す機能が決定される。
【００５０】
しかし、指Ｆを放さずに、さらに上方向に指Ｆをスライドされると、また別の送風口状態アイコン８２０ａが選択され、選択されていることを示すために、図１８で示すように、選択されている送風口状態を示すアイコン８２０ａが、反転表示される。この状態で、指Ｆを放すと選択されている送風口状態を示すアイコン８２０ａが決定される。
【００５１】
また、図１２で示すように、ドライバーがタッチセンサ部１０２ｂに触れてから指Ｆを右回り（時計回り）に動かした場合、エアコンの設定温度が上昇し、右回りへの入力がされたことを示すために、図１９で示すように、エアコン操作ガイド８１８の矢印８１８ａとアイコン８１８ｂが反転表示され、画面中央に設定変更された温度の値を示す第２の温度表示部８２１が表示される。
【００５２】
機能が実行された後は、再び、図１４で示すように、エアコンコンテンツ初期（ホーム）画面８１０が表示される。また、タッチセンサ部１０２ｂに指Ｆを触れた状態から指Ｆを動かさずにそのまま指Ｆを放した場合は、何も機能が実行されないままエアコンコンテンツ初期（ホーム）画面８１０の表示に戻る。
【００５３】
前記の構成によって、ドライバーが表示部１０１を見る時間が、操作ガイド６１５、７１５、８１７、８１８、８１９、８２０内に配置された機能と、その方向を確認する時間と、操作入力の受付を確認する時間だけになり、その間の操作ガイド６１５、７１５、８１７、８１８、８１９、８２０の確認から入力受付までの表示部１０１を注視する時間を低減することができる。また、操作ガイド６１５、７１５、８１７、８１８、８１９、８２０内の方向をドライバーが記憶すると、操作ガイド６１５、７１５、８１７、８１８、８１９、８２０を確認することなく操作が可能となり、運転中に視線を前方から外すことなく操作を行うことができる。
【００５４】
また、表示部１０１にオーディオコンテンツ初期（ホーム）画面６１０が表示された状態からＭｅｎｕスイッチ１０２ａ３が押下されることによって表示されるオーディオメニュー項目画面６２０を図２０に示す。このオーディオメニュー項目画面６２０では、コンテンツ名６２１、各メニュー項目６２２〜６２５が表示される。
【００５５】
メニュー項目画面６２０が表示された状態で、タッチセンタ部１０２ｂに触れ、指Ｆを上下させることで、反転表示で示されている選択されたメニュー項目６２２〜６２５を変更することができる。例えば、図２０のように「ソース切替」のメニュー項目６２２が選択された状態にて、タッチセンサ部１０２ｂ上で指ＦＦを下方向にスライドさせると、１つ下の「検索」のメニュー項目６２３が選択される（図２１）。この操作は、連続的に可能であり、指Ｆを放さないまま、さらに下方向に指Ｆをスライドさせていけば、下方向に配置されたメニュー項目６２４，６２５を選択することができる。
【００５６】
選択された機能を実行するためには指Ｆを一度タッチセンサ部１０２ｂから放し、その後にタッチセンサ部１０２ｂをタップすると、選択された「検索」のメニュー項目６２３が実行される。これは、オーディオコンテンツ６０１だけでなくナビゲーションコンテンツ７０１およびエアコンコンテンツ８０１の初期（ホーム）画面６１０、７１０、８１０が表示された状態にて、Ｍｅｎｕスイッチ１０２ａ３が押下されることにより、それぞれのコンテンツのメニュー項目画面６２０が表示され、同様の操作にてそれぞれのメニュー項目の選択および実行を行うことができる。こうすることで操作ガイド６１５、７１５、８１７、８１８、８１９、８２０に表示されていない機能の操作を運転姿勢を崩すことなく操作することができる。
【００５７】
なお、本実施例においては、タッチセンサ部１０２ｂに静電容量方式のものを用いていたが、抵抗膜方式もしくは赤外線方式のものであってもよい。
【００５８】
なお、本実施例においては、機能を指Ｆの動きに対して６つの軌跡に割り振っていたが、６以上の軌跡もしくは６未満の軌跡に割り振ってもよい。
【００５９】
なお、操作部１０２のタッチセンサ部１０２ｂは、タッチセンサ部１０２ｂに限定されるものではなく、例えば、トラックボールであってもよいし、あるいは、ジョイスティックであってもよい。
【符号の説明】
【００６０】
１  車両用表示装置
１０１  表示部
１０２  操作部
１０２ａ  スイッチ群
１０２ｂ  タッチセンサ部（センサ）
１０３  ステアリング
１０４  メモリ（記憶部）
１０５  制御部
２０５  車両
２０６  オーディオ（車載機器）
２０７  ナビゲーション（車載機器）
２０８  エアコン（車載機器）
６１５  操作ガイド表示
７１５  操作ガイド表示
７１６  操作ガイド表示
７１７  操作ガイド表示
８１７  操作ガイド表示
８１８  操作ガイド表示
８１９  操作ガイド表示
８２０  操作ガイド表示
Ｆ  指
【図１】
2012201250.tif 000003
【図２】
2012201250.tif 000004
【図３】
2012201250.tif 000005
【図４】
2012201250.tif 000006
【図５】
2012201250.tif 000007
【図６】
2012201250.tif 000008
【図７】
2012201250.tif 000009
【図８】
2012201250.tif 000010
【図９】
2012201250.tif 000011
【図１０】
2012201250.tif 000012
【図１１】
2012201250.tif 000013
【図１２】
2012201250.tif 000014
【図１３】
2012201250.tif 000015
【図１４】
2012201250.tif 000016
【図１５】
2012201250.tif 000017
【図１６】
2012201250.tif 000018
【図１７】
2012201250.tif 000019
【図１８】
2012201250.tif 000020
【図１９】
2012201250.tif 000021
【図２０】
2012201250.tif 000022
【図２１】
2012201250.tif 000023